【事件の表示】
　特許第４５５９０５７号に関する訂正審判事件について、次のとおり審決する。
【結　論】
　特許第４５５９０５７号に係る明細書及び特許請求の範囲を本件審判請求書に添付された訂正明細書及び特許請求の範囲のとおり一群の請求項ごとに訂正することを認める。
【理　由】
第１　手続の経緯
　本件特許第４５５９０５７号の請求項１及び２に係る発明は，平成１５年１０月３１日に特願２００３−３７３７５１号として特許出願されたものであって，平成２２年７月３０日にその特許権の設定登録がなされ，平成２６年１１月７日に本件訂正審判の請求がなされたものである。
　
第２　請求の趣旨及び訂正の内容
　本件訂正審判の請求は，本件特許の願書に添付した明細書（以下「本件特許明細書」という。）及び特許請求の範囲（以下「本件特許請求の範囲」という。）を，本件審判請求書に添付された訂正明細書及び特許請求の範囲のとおり一群の請求項ごとに訂正することを認める，との審決を求めるものである（下線部は訂正箇所を意味する。）。
　
　その訂正内容は，次のとおりである。
　
１　訂正事項１
　本件特許請求の範囲の請求項１における
「前記入賞判定手段により，前記複数の識別情報の組合せが特別の組合せであると判定されたときに，遊技者に有利な特別遊技状態を発生させる特別遊技状態発生手段と，
　前記入賞判定手段により，前記複数の識別情報の組合せが，前記特別の組合せに対応する図柄以外の図柄からなる所定の組合せであると判定されたときに，前記遊技者による遊技媒体の投入を必要とせず遊技を可能とさせる再遊技が前記内部当選役として決定される確率が高い高確率再遊技状態を発生させる高確率再遊技状態発生手段と，を備え，
　一般遊技状態は，特別期間と通常期間とからなり，前記特別遊技状態及び前記高確率再遊技状態が発生していない遊技状態である一般遊技状態において，前記特別遊技状態発生手段により発生した前記特別遊技状態が終了してから所定回数の一般遊技状態の遊技期間を前記特別期間，前記特別期間以外の一般遊技状態の遊技期間を前記通常期間とし，
　遊技者による操作に応じて，前記停止制御手段が，前記特別期間であるときに前記複数の識別情報の変動表示が停止されて前記所定の組合せを示す第１の確率は，前記通常期間であるときに前記複数の識別情報の変動表示が停止されて前記所定の組合せを示す第２の確率よりも高く，
　前記所定の組合せは，前記再遊技が入賞となる再遊技の組合せに対応する図柄を一部に含む組合せであり，且つ，前記高確率再遊技状態発生手段による前記高確率再遊技状態の発生以外の入賞を構成しないことを特徴とする遊技機。」という記載を，
「前記入賞判定手段により，前記複数の識別情報の組合せが特別の組合せであると判定されたときに，遊技者に有利な特別遊技状態を発生させる特別遊技状態発生手段と，
　前記入賞判定手段により，前記複数の識別情報の組合せが，前記特別の組合せに対応する
識別情報
識別情報
　一般遊技状態は，特別期間と通常期間とからなり，前記特別遊技状態及び前記高確率再遊技状態が発生していない遊技状態である一般遊技状態において，前記特別遊技状態発生手段により発生した前記特別遊技状態が終了してから所定回数の一般遊技状態の遊技期間を前記特別期間，前記特別期間以外の一般遊技状態の遊技期間を前記通常期間とし，
　遊技者による操作に応じて，前記停止制御手段が，前記特別期間であるときに前記複数の識別情報の変動表示が停止されて前記所定の組合せを示す第１の確率は，前記通常期間であるときに前記複数の識別情報の変動表示が停止されて前記所定の組合せを示す第２の確率よりも高く，
　前記所定の組合せは，前記再遊技が入賞となる再遊技の組合せに対応する
識別情報
　
２　訂正事項２
　本件特許明細書の段落【０００８】における
「（１）　遊技者による操作に応じて遊技開始指令信号を出力する遊技開始指令手段（例えば，後述するスタートスイッチ６Ｓなど）と，前記遊技開始指令手段から出力された前記遊技開始指令信号を検出したことに基づいて遊技に必要な複数の識別情報（例えば，後述のリール３Ｌ，３Ｃ，３Ｒに配置された図柄など）を変動表示する変動表示手段（例えば，後述のリール３Ｌ，３Ｃ，３Ｒなど）と，前記遊技開始指令手段から出力された前記遊技開始指令信号を検出したことに基づいて内部当選役を決定する内部当選役決定手段（例えば，後述の図１７のステップＳ１０，ステップＳ１２を実行する主制御回路７１など）と，遊技者による操作に応じて前記変動表示の停止指令信号を出力する停止指令手段（例えば，後述の停止ボタン７Ｌ，７Ｃ，７Ｒなど）と，前記停止指令手段から出力された前記停止指令信号を検出したことに基づき，前記複数の識別情報の変動表示を停止させる停止制御手段（例えば，後述の図１７のステップＳ２３を実行する主制御回路７１など）と，前記停止制御手段により停止制御された前記変動表示手段が示す前記複数の識別情報の組合せが所定の組合せであるか否かを判定する入賞判定手段（例えば，後述の図１８のステップＳ２６を実行する主制御回路７１など）と，前記入賞判定手段により，前記複数の識別情報の組合せが前記所定の組合せ（例えば，後述の“ベル−Replay−Replay”など）であると判定されたときに，遊技者に有利な特別遊技状態（例えば，後述の高確率再遊技状態など）を発生させる特別遊技状態発生手段（例えば，後述の図１８のステップＳ３１を実行する主制御回路７１など）と，を備え，前記停止制御手段が，所定の条件（例えば，後述のボーナスが終了してから１００回以内のゲームであることなど）が成立しているとき前記複数の識別情報の変動表示が停止されて前記所定の組合せを示す第１の確率が，該所定の条件が成立していないとき前記複数の識別情報の変動表示が停止されて前記所定の組合せを示す第２の確率よりも高いことを特徴とする遊技機。」という記載を，
「（１）　遊技者による操作に応じて遊技開始指令信号を出力する遊技開始指令手段（例えば，後述するスタートスイッチ６Ｓなど）と，前記遊技開始指令手段から出力された前記遊技開始指令信号を検出したことに基づいて遊技に必要な複数の識別情報（例えば，後述のリール３Ｌ，３Ｃ，３Ｒに配置された図柄など）を変動表示する変動表示手段（例えば，後述のリール３Ｌ，３Ｃ，３Ｒなど）と，前記遊技開始指令手段から出力された前記遊技開始指令信号を検出したことに基づいて内部当選役を決定する内部当選役決定手段（例えば，後述の図１７のステップＳ１０，ステップＳ１２を実行する主制御回路７１など）と，遊技者による操作に応じて前記変動表示の停止指令信号を出力する停止指令手段（例えば，後述の停止ボタン７Ｌ，７Ｃ，７Ｒなど）と，前記停止指令手段から出力された前記停止指令信号を検出したことに基づき，前記複数の識別情報の変動表示を停止させる停止制御手段（例えば，後述の図１７のステップＳ２３を実行する主制御回路７１など）と，前記停止制御手段により停止制御された前記変動表示手段が示す前記複数の識別情報の組合せが所定の組合せであるか否かを判定する入賞判定手段（例えば，後述の図１８のステップＳ２６を実行する主制御回路７１など）と，前記入賞判定手段により，前記複数の識別情報の組合せが前記所定の組合せ（例えば，後述の“ベル−Replay−Replay”など）であると判定されたときに，遊技者に有利な特別遊技状態（例えば，後述の高確率再遊技状態など）を発生させる特別遊技状態発生手段（例えば，後述の図１８のステップＳ３１を実行する主制御回路７１など）と，
前記入賞判定手段により，前記複数の識別情報の組合せが，前記特別の組合せに対応する識別情報以外の識別情報からなる所定の組合せであると判定されたときに，前記遊技者による遊技媒体の投入を必要とせず遊技を可能とさせる再遊技が前記内部当選役として決定される確率が高い高確率再遊技状態を発生させる高確率再遊技状態発生手段と，を備え，一般遊技状態は，特別期間と通常期間とからなり，前記特別遊技状態及び前記高確率再遊技状態が発生していない遊技状態である一般遊技状態において，前記特別遊技状態発生手段により発生した前記特別遊技状態が終了してから所定回数の一般遊技状態の遊技期間を前記特別期間，前記特別期間以外の一般遊技状態の遊技期間を前記通常期間とし，遊技者による操作に応じて，前記停止制御手段が，前記特別期間であるときに前記複数の識別情報の変動表示が停止されて前記所定の組合せを示す第１の確率は，前記通常期間であるときに前記複数の識別情報の変動表示が停止されて前記所定の組合せを示す第２の確率よりも高く，前記所定の組合せは，前記再遊技が入賞となる再遊技の組合せに対応する識別情報を一部に含む組合せであり，且つ，前記高確率再遊技状態発生手段による前記高確率再遊技状態の発生以外の入賞を構成しない
　
３　訂正事項３
　本件特許明細書の段落【００１０】における
「（２）　前記特別遊技状態は，前記遊技機において前記遊技者による遊技媒体の投入を必要とせず遊技を可能とさせる再遊技が前記内部当選役として決定される確率が高い高確率再遊技状態であり，前記所定の組合せは，前記特別遊技状態発生手段により高確率再遊技状態を発生させる前記複数の識別情報の組合せであることを特徴とする請求項１に記載の遊技機。」という記載を，
「（２）
前記高確率再遊技状態発生手段により発生した前記高確率再遊技状態は，前記複数の識別情報の組合せが前記特別の組合せ及び前記所定の組合せとは異なる複数の特定の組合せのうちいずれか一の特定の組合せでの小役の入賞と判定されたことに基づいて終了する
　
４　訂正事項４
　本件特許明細書の段落【００１１】における
「（２）の発明によれば，高確率再遊技状態の発生確率が，所定の条件のもとではより高い確率で発生することが期待できるため，その所定の条件のもとで遊技者が高確率再遊技状態を発生させることができる所定の複数の識別情報の組合せを停止表示させようとすることによって，遊技者の遊技への興趣を高めることができる。」という記載を削除する。
　
第３　当審の判断
１　訂正事項１について
　訂正前の請求項１には「前記入賞判定手段により，前記複数の識別情報の組合せが特別の組合せであると判定されたときに，遊技者に有利な特別遊技状態を発生させる特別遊技状態発生手段と，前記入賞判定手段により，前記複数の識別情報の組合せが，前記特別の組合せに対応する図柄以外の図柄からなる所定の組合せであると判定されたときに，」（以下「記載Ａ」という。），「前記所定の組合せは，前記再遊技が入賞となる再遊技の組合せに対応する図柄を一部に含む組合せであり，」（以下「記載Ｂ」という。）と記載されているが，上記記載Ａ及びＢでは，「特別の組合せ」及び「所定の組合せ」を構成するものが「識別情報」なのか「図柄」なのかが不明瞭となっていた。
　しかしながら，本件特許明細書の段落【０００８】には「識別情報（例えば，後述のリール３Ｌ，３Ｃ，３Ｒに配置された図柄など）」と記載されているとおり，「図柄」が「識別情報」を意味していることは明らかである。
　したがって，訂正事項１は，「図柄」という記載を「識別情報」に統一するため，訂正前の請求項１の不明瞭な記載がある上記記載Ａ及びＢを，「前記入賞判定手段により，前記複数の識別情報の組合せが特別の組合せであると判定されたときに，遊技者に有利な特別遊技状態を発生させる特別遊技状態発生手段と，前記入賞判定手段により，前記複数の識別情報の組合せが，前記特別の組合せに対応する
識別情報
識別情報
識別情報
　
　そして，訂正事項１は，本件特許明細書及び本件特許請求の範囲の記載に基づくものであって，本件特許明細書，本件特許請求の範囲又は図面（以下「本件特許明細書等」という。）のすべてを総合することにより導かれる技術的事項との関係において新たな技術的事項を導入するものではなく，本件特許明細書等に記載した事項の範囲内においてされたものである。
　また，訂正事項１は，訂正の前後で特許請求の範囲に記載された発明の拡張又は変更はないから，実質上特許請求の範囲を拡張し，又は変更するものでもない。
　したがって，訂正事項１は，特許法第１２６条第５項及び第６項の規定に適合する。
　
２　訂正事項２及び３について
　訂正事項２及び３は，上記第２「１　訂正事項１」の訂正後の記載と一致しない本件特許明細書の段落【０００９】の「を備え，前記停止制御手段が，所定の条件（例えば，後述のボーナスが終了してから１００回以内のゲームであることなど）が成立しているとき前記複数の識別情報の変動表示が停止されて前記所定の組合せを示す第１の確率が，該所定の条件が成立していないとき前記複数の識別情報の変動表示が停止されて前記所定の組合せを示す第２の確率よりも高い」という記載，及び本件特許明細書の段落【００１０】の記載を，訂正後の請求項１及び２の記載に整合させるための訂正であるから，特許法第１２６条第１項ただし書第３号に掲げる，明瞭でない記載の釈明を目的とする訂正に該当する。
　
　そして，訂正事項２及び３は，本件特許請求の範囲の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項２及び３は，訂正の前後で特許請求の範囲に記載された発明の拡張又は変更はないから，実質上特許請求の範囲を拡張し，又は変更するものでもない。
　したがって，訂正事項２及び３は，特許法第１２６条第５項及び第６項の規定に適合する。
　
３　訂正事項４について
　訂正事項４は，上記第２「１　訂正事項１」の訂正後の記載と整合性がとれない本件特許明細書の段落【００１１】の記載を削除する訂正であるから，特許法第１２６条第１項ただし書第３号に掲げる，明瞭でない記載の釈明を目的とする訂正に該当する。
　
　そして，訂正事項４は，本件特許請求の範囲の記載に基づくものであって，本件特許明細書等のすべてを総合することにより導かれる技術的事項との関係において新たな技術的事項を導入するものではなく，本件特許明細書等に記載した事項の範囲内においてされたものである。
　また，訂正事項４は，訂正の前後で特許請求の範囲に記載された発明の拡張又は変更はないから，実質上特許請求の範囲を拡張し，又は変更するものでもない。
　したがって，訂正事項４は，特許法第１２６条第５項及び第６項の規定に適合する。
　
第４　むすび 
　したがって，本件訂正審判の請求は，特許法第１２６条第１項ただし書第３号に掲げる事項を目的とし，かつ，同条第５及び６項の規定に適合する。
　
　よって，結論のとおり審決する。